(57)【特許請求の範囲】
【請求項１】
水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下端流出口部１４は水槽１の上部に位置して水槽１内の水槽水面部１５に指向して取付け、且つ水槽１の下方に開口した揚水管４の下部吸込口５は水槽１の底部面１６に設けた濾過扁平体１７と連設し、更に濾過扁平体１７の上部にサンゴ砂等の多孔質粒で形成した底部濾過材層１８を設け、又更に上方排出口６を濾過槽２の下方に開口した揚水管４は、揚水管４の中途に濾過槽２の上端縁部１３より上部に位置した屈曲揚水管部１９を設け、且つ屈曲揚水管１９に濾過槽水面部２０に指向した逆流防止空気孔２１を設けたことを特徴とする海水魚等の魚飼育槽。
【請求項２】
水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下方先端流出口部２２は水槽１内の水槽水面部１５より下部に位置して取付け、更に下方先端流出口部２２は折曲部２３を介して折曲すると共に下方先端流出口部２２より流出する水で水槽１内の水が一定方向に循環流動するように指向して取付け、且つ水槽１の下方に開口した揚水管４の下部吸込口５は水槽１の底部面１６に設けた濾過扁平体１７と連設し、更に濾過扁平体１７の上部にサンゴ砂等の多孔質粒で形成した底部濾過材層１８を設け、又更に上方排出口６を濾過槽２の下方に開口した揚水管４は、揚水管４の中途に濾過槽２の上端縁部１３より上部に位置した屈曲揚水管部１９を設け、且つ屈曲揚水管１９に濾過槽水面部２０に指向した逆流防止空気孔２１を設けたことを特徴とする海水魚等の魚飼育槽。
【発明の詳細な説明】
【０００１】
【産業上の利用分野】
この発明は、水を悪くする物質の猛毒アンモニアの発生を抑えて魚を長期に亘り元気に生存させることができるようにした海水魚等の魚飼育槽に関するものである。
【０００２】
【従来の技術】
従来より海水魚等の生きた魚を水槽に入れて一般の家庭に於いては観賞用として楽しみ又は魚料理店に於いては店頭、客室等に設置した水槽に料理に使用する生きた魚を入れて営業上の広告用とすることは広くは知られている。
【０００３】
【発明が解決しようとする問題点】
ところで、従来より知られている海水魚等の生きた魚を水槽に入れて一般の家庭に於いては観賞用として楽しみ又は魚料理店に於いては店頭、客室等に設置した水槽に料理に使用する生きた魚を入れて営業上の広告用とすることは水槽の中での魚自体の排泄物や餌の残り等が腐敗して、猛毒のアンモニアとなって、そのために長く生存させることができない等の欠点があった。
【０００４】
この発明は、上記の問題点を解決したもので水槽の中での魚自体の排泄物や餌の残り等が腐敗しての猛毒のアンモニアの発生を抑えて魚を長期に亘り元気に生存させることができるようにすると共に海水魚等の生きた魚を水槽に入れて一般の家庭に於いては観賞用として楽しみ又は魚料理店に於いては店頭、客室等に設置した水槽に料理に使用する生きた魚を入れて営業上の広告用とすることができものであり、更に水を自動落下させて濾過材層を通過させることなく水を強制的濾過材層を通過させる手段であるので濾過槽の上縁から水を溢れさせるようなことがないようにしたことで取扱いが好適で使用上便利な海水魚等の魚飼育槽を得ることを目的としたもである。
【０００５】
【問題点を解決するための手段】
上記の目的を達成するためのこの発明は、水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下端流出口部１４は水槽１の上部に位置して水槽１内の水槽水面部１５に指向して取付け、且つ水槽１の下方に開口した揚水管４の下部吸込口５は水槽１の底部面１６に設けた濾過扁平体１７と連設し、更に濾過扁平体１７の上部にサンゴ砂等の多孔質粒で形成した底部濾過材層１８を設け、又更に上方排出口６を濾過槽２の下方に開口した揚水管４は、揚水管４の中途に濾過槽２の上端縁部１３より上部に位置した屈曲揚水管部１９を設け、且つ屈曲揚水管１９に濾過槽水面部２０に指向した逆流防止空気孔２１を設けたものである。
【０００６】
又、水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下方先端流出口部２２は水槽１内の水槽水面部１５より下部に位置して取付け、更に下方先端流出口部２２は折曲部２３を介して折曲すると共に下方先端流出口部２２より流出する水で水槽１内の水が一定方向に循環流動するように指向して取付け、且つ水槽１の下方に開口した揚水管４の下部吸込口５は水槽１の底部面１６に設けた濾過扁平体１７と連設し、更に濾過扁平体１７の上部にサンゴ砂等の多孔質粒で形成した底部濾過材層１８を設け、又更に上方排出口６を濾過槽２の下方に開口した揚水管４は、揚水管４の中途に濾過槽２の上端縁部１３より上部に位置した屈曲揚水管部１９を設け、且つ屈曲揚水管１９に濾過槽水面部２０に指向した逆流防止空気孔２１を設けたものである。
【０００７】
【実施例】
以下図面についてこの考案の実施例を説明すると、水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下端流出口部１４は水槽１の上部に位置して水槽１内の水槽水面部１５に指向して取付けたものであり、且つ水槽１内の水は揚水管４を介して水槽１の上部に設けた濾過槽２の下部室部９に上げられ、下部室部９に上げられ水はサンゴ砂等の多孔質粒で形成した濾過材層８を通って更に上部室部１０に上げられ、上部室部１０に上げられ水は落下用管１１を介して水槽１内に落下して水は循環するものであり、その循環する水は取付けた揚水ポンプ３の揚水能力によって循環速度並びに循環水容量を水槽１および濾過槽２の大きさと相俟って変化させることができるものである。
【０００８】
又、水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下方先端流出口部２２は水槽１内の水槽水面部１５より下部に位置して取付け、更に下方先端流出口部２２は折曲部２３を介して折曲すると共に下方先端流出口部２２より流出する水で水槽１内の水が一定方向に循環流動するように指向して取付けたものである。
【０００９】
又、水槽１の下方に開口した揚水管４の下部吸込口５は水槽１の底部面１６に設けた濾過扁平体１７と連設し、更に濾過扁平体１７の上部にサンゴ砂等の多孔質粒で形成した底部濾過材層１８を設けたものである。
【００１０】
又、上方排出口６を濾過槽２の下方に開口した揚水管４は、揚水管４の中途に濾過槽２の上端縁部１３より上部に位置した屈曲揚水管部１９を設け、且つ屈曲揚水管１９に濾過槽水面部２０に指向した逆流防止空気孔２１を設けたものである。
【００１１】
【発明の作用効果】
この発明は以上のような構成であり、水槽１の上部に濾過槽２を設け、水槽１と濾過槽２との間に揚水ポンプ３を設けた揚水管４を備え、更に揚水管４の下部吸込口５を水槽１の下方に開口すると共に上方排出口６は濾過槽２の下方に開口し、又更に濾過槽２には上方排出口６の上部でスノコ状等の多数の通水孔を備えた通水仕切板７に載置積層したサンゴ砂等の多孔質粒で形成した濾過材層８を介して上方排出口６を開口した下部室部９と下部室部９内の水が濾過材層８内を流動上昇した水が流入される上部室部１０を形成し、且つ又濾過槽２に上部室部１０の水を水槽１に落下させる落下用管１１を取付け、該落下用管１１の上端流入口部１２は濾過槽２の上端縁部１３よりも下方に位置すると共に下端流出口部１４は水槽１の上部に位置して水槽１内の水槽水面部１５に指向して取付けたものである。
【００１２】
よって、水槽１内に魚を泳がせて飼育するものであり、水槽１内の水は揚水管４を介して水槽１の上部に設けた濾過槽２の下部室部９に上げられ、下部室部９に上げられ水はサンゴ砂等の多孔質粒で形成した濾過材層８を通って更に上部室部１０に上げられ、上部室部１０に上げられ水は落下用管１１を介して水槽１内に落下して水は循環するものであり、その循環する水は取付けた揚水ポンプ３の揚水能力によって循環速度並びに循環水容量を変化させることができるものである。
【００１３】
又、水槽１内の水は魚自体の排泄物や餌の残り等が腐敗して、猛毒のアンモニアとなって、そのために長く生存させることができない等の支障を来すものであるが、猛毒のアンモニアを含んだ水槽１内の水は下部室部９よりサンゴ砂等の多孔質粒で形成した濾過材層８を通って上部室部１０に上げられる過程の濾過材層８内で魚の生存に必要な酸素を含んだ良質の水に変化するものであり、そのことは、サンゴ砂等の多孔質粒で形成した濾過材層８は猛毒のアンモニアを消滅すると共に酸素を含んだ水に変化させる濾過バクテリアを発生させているものである。
【００１４】
又、上部室部１０に上げられた良質の水は濾過槽２に取付けた落下用管１１を介して水槽１に落下させるものであるが、この落下用管１１は上端流入口部１２は濾過槽２の上端縁部１３よりも下方に位置して取付けると共に下端流出口部１４は水槽１の上部に位置して水槽１内の水槽水面部１５に指向して取付けたものであるのて濾過槽２より水槽１に落下する水は落下用管１１の上端流入口部１２を乗り越えての流動時又は落下用管１１の下端流出口部１４よりの流出時に外気に接し酸素を混入した水を水槽１内に落とし込み魚の生存により必要な水を供給して魚の飼育に寄与するものである。
【００１５】
又、濾過材層８を通る水は揚水ポンプ３を介して濾過材層８の下方より上方に強制的に流動させられるもので水槽１の大きさ及び魚の種類に応じて猛毒のアンモニアを消滅させる濾過バクテリアを発生させている濾過材層８を通って猛毒のアンモニアを消滅させるに適した水の流れを得ることができる揚水ポンプ３を取付けることで魚の生存に必要な水を確実に得ることができるものである。
【００１６】
又、水槽１の下方に開口した揚水管４の下部吸込口５は水槽１の底部面１６に設けた濾過扁平体１７と連設し、更に濾過扁平体１７の上部にサンゴ砂等の多孔質粒で形成した底部濾過材層１８を設けたことによって底部濾過材層１８を介しても揚水管４で濾過槽２に上げる水の濾過操作を行い濾過槽２に装着した濾過材層８の汚損を少なくして長期に亘り清掃等の手間を省き使用上の使い勝手を極めて好適にしたものである。
【００１７】
又、上方排出口６を濾過槽２の下方に開口した揚水管４は、揚水管４の中途に濾過槽２の上端縁部１３より上部に位置した屈曲揚水管部１９を設け、且つ屈曲揚水管１９に濾過槽水面部２０に指向した逆流防止空気孔２１を設けたので停電等の関係で揚水ポンプ３が停止した際には揚水管４にサイフォン作用が働くことなく濾過槽水面部２０の僅かの下降に伴い逆流防止空気孔２１より屈曲揚水管部１９内に空気が流入するものであり、そのために濾過槽２の下方に開口した上方排出口６より揚水管４を経て濾過槽２内の水が水槽１の下方に開口した下部吸込口５に逆流して水槽１より水か溢れて水槽１の回りを水浸しにする等の支障を生じることなく安全に使用することかできるものである。
【００１８】
又、揚水ポンプ３の作動に伴い揚水管４を介しての水の流動時は逆流防止空気孔２１より濾過槽水面部２０に指向して水が吹出す状態が継続するものであるが、その吹出しによって濾過槽２内の水に酸素の供給を行うものでる。
【００１９】
又、魚を生かしたままたくわえておくところである生簀では魚の泳ぐ方向に水が流れていてその流れに乗って泳ぐ習性を有した魚である例えばまぐろ等の魚は生簀内の水が一定方向に流れていないと長く生きておくことができないものである。ところで生簀に相当する水槽１であるこの水槽１の他の実施例では濾過槽２の上部室部１０の水を水槽１に落下させる落下用管１１の下方先端流出口部２２は折曲部２３を介して折曲すると共に下方先端流出口部２２より流出する水で水槽１内の水が一定方向に循環流動するように指向して取付けたので水槽１内の水は魚の泳ぐ方向に流れてまぐろ等の魚の生存に大いに寄与するものであり、且つ又落下用管１１内を落下して下方先端流出口部２２より流出する水は水槽１内の水中に開口している下方先端流出口部２２より流出するので水の落下音を減少して静かな生簀を得ることが出来るものである。
【００２０】
以上のようにこの発明は水槽の中での魚自体の排泄物や餌の残り等が腐敗しての猛毒のアンモニアの発生を抑えて魚を長期に亘り元気に生存させることができるようにすると共に海水魚等の生きた魚を水槽に入れて一般の家庭に於いては観賞用として楽しみ又は魚料理店に於いては店頭、客室等に設置した水槽に料理に使用する生きた魚を入れて営業上の広告用とすることができるもので取扱いが好適で使用上便利なもであり、構造が簡単で安価に提供出来ると共に取扱いが容易で、更に簡便に製作できるものであり、且つ大量生産に適する等幾多の産業的作用効果を奏するものである。
【図面の簡単な説明】
【図１】この発明の縦断面図である。
【図２】この発明の他の実施例を示した縦断面図である。
【符号の説明】
１  水槽
２  濾過槽
３  揚水ポンプ
４  揚水管
５  下部吸込口
６  上方排出口
７  通水仕切板
８  濾過材層
９  下部室部
１０  上部室部
１１  落下用管
１２  上端流入口部
１３  上端縁部
１４  下端流出口部
１５  水槽水面部
１６  底部面
１７  濾過扁平体
１８  底部濾過材層
１９  屈曲揚水管部
２０  濾過槽水面部
２１  逆流防止空気孔
２２  下方先端流出口部
２３  折曲部
【図１】
0003660323.tif 000002
【図２】
0003660323.tif 000003